(57)【要約】      （修正有）【課題】取っ手がトレー本体に対して補強部材として機能すると共に、取っ手自体も高い機械的強度を有し、しかもトレー本体を低コストに製造することができる、家具用引き出しを得ること。【解決手段】前鏡板１２ａ、後板１５、側板１３，１４および底板１６からなるトレー本体１１と取っ手部材２１とを備え、取っ手部材を、ロッド状部材を曲げて形成し、前記前鏡板、後板および側板を囲んでトレー本体と一体化される保持部２１ｂと、該保持部と連続し前記前鏡板から突出した引き手部２１ａを備えて形成した家具用引き出し。【選択図】図３
2006141571.tif 000002
【特許請求の範囲】
【請求項１】
前鏡板、後板、側板および底板からなるトレー本体と取っ手部材とを備えた家具用引き出しにおいて、取っ手部材を、ロッド状部材を曲げて形成し、前記前鏡板、後板および側板を囲んでトレー本体と一体化される保持部と、該保持部と連続し前記前鏡板から突出した引き手部を備えて形成したことを特徴とする家具用引き出し。
【請求項２】
トレー本体は、左右の側板、後板および底板が一枚の板材を切断して切起すことによって形成されている共に、前鏡板が両側板と底板によって形成された前部開口に接合された請求項1の引き出し。
【請求項３】
取っ手部材は、弾性材からなるロッドを平面から見て略門型に曲げ加工して形成されており、引き手部が、略中央部に引き手を備えて前鏡板に一体化されるように形成されると共に、保持部が、前記引き手部の両側から延びて前記両側板に一体化される水平部と該水平部の末端から水平姿勢で内側に向け直角に曲がり前記後板に一体化される押え部を備えて形成された請求項１又は請求項２の引き出し。
【請求項４】
ロッドにより形成された取っ手部材と、トレー本体の前鏡板、両側板、後板との一体化は、前記各板に形成した断面チャネル状の係合部に前記取っ手部材の対応部位を保持させて固定した請求項１〜３のいずれかの引き出し。
【請求項５】
取っ手部材のトレー部材本体に対する固定は、取っ手部材を各係合部に嵌合させることなどにより固定した請求項1〜４のいずれかの引き出し。
【請求項６】
取っ手部材は、保持部および引き手部を同じ断面形状に形成した請求項１〜５のいずれかの引き出し。
【発明の詳細な説明】
【技術分野】
【０００１】
本発明は家具用引き出しに関する。
【背景技術】
【０００２】
例えば、机などの家具の引き出しは、上面が開放された中空箱形のトレー本体を備えている。トレー本体は前鏡板、後板、側板および底板を組み立てたもので、前鏡板には取っ手が設けられている。
【０００３】
トレー本体は、前鏡板、後板、側板および底板をねじ結合、ほぞ結合、接着などによって結合されている。そして、取っ手は、平面から見てＵ字状などをなす引き手を、その引き手の脚となる部分に形成したねじ軸を前鏡板にある貫通孔を貫通させ、ねじ軸における前鏡板の背面に突出した部分にナットをねじ込むことで前鏡板に固定されている（例えば特許文献１を参照）。
【０００４】
また、取っ手部材が、その上部に前面側に突出した手掛かり部を備え、引出し前鏡板に前面からねじ等の固定具を介して取付けた取っ手部材本体と、前記固定具を隠蔽する取っ手部材飾りと、取っ手部材本体と取っ手部材飾りの両側端に嵌合した側飾りとからなるものも提供されている（例えば特許文献２を参照）。
【０００５】
従来の引き出しでは、トレー本体にかなりの重量物を収納しても、当該トレー本体が歪んだり、壊れたりしないようにトレー本体を形成する各板を強固に結合し、また、取っ手にトレー本体の出し入れに伴う力が掛っても、取っ手が前鏡板から外れたり、前鏡板が取っ手と一緒に側板や底板から外れるおそれがないように設計、製造されている。従って、取っ手はトレー本体とは別体であったり、前鏡板の一部により当該鏡板と一体に形成されたものが大半である。
【０００６】
しかし、トレー本体を構成する各板の結合度を高くしなくても済めば、トレー本体の製造手間やコストを削減でき、また、取っ手にトレー本体の補強部材としての機能を持たせれば、前記トレー本体の製造手間やコストの削減に寄与するものと考えられる。
【特許文献１】特開平５−２９５９３２号公報
【特許文献２】特開２００４−６５５５８号公報
【発明の開示】
【発明が解決しようとする課題】
【０００７】
そこで本発明は、取っ手がトレー本体に対して補強部材として機能すると共に、取っ手自体も高い機械的強度を有し、しかもトレー本体を低コストに製造することができる、家具用引き出しを提供することにある。
【課題を解決するための手段】
【０００８】
上記課題を解決することを目的としてなされた本発明家具用引き出しの構成は、前鏡板、後板、側板および底板からなるトレー本体と取っ手部材とを備えた家具用引き出しにおいて、取っ手部材を、ロッド状部材を曲げて形成し、前記前鏡板、後板および側板を囲んでトレー本体と一体化される保持部と、該保持部と連続し前記前鏡板から突出した引き手部を備えて形成したことを特徴としている。
【発明の効果】
【０００９】
本発明の家具用引き出しは、前鏡板、後板、側板および底板からなるトレー本体と取っ手部材とを備えた家具用引き出しにおいて、取っ手部材を、ロッド状部材を曲げて形成し、前記前鏡板、後板および側板を囲んでトレー本体と一体化される保持部と、該保持部と連続し前記前鏡板から突出した引き手部を備えて形成したので、取っ手自体が高い機械的強度を有する一方、簡単な構造で十分な強度を有するトレー本体を低コストで製造することができる。
【００１０】
すなわち、本発明家具用引き出しでは、取っ手部材が、細目の鋼棒や鋼線のロッド状部材を曲げて形成され、前鏡板、後板および側板を囲んでトレー本体と一体化される保持部と、該保持部と連続し前記前鏡板から突出する引き手部からなっているため、保持部がトレー本体の前鏡板、後板および側板を囲んで、トレー本体の構成部材間の結合を補強する補強部材として作用し、また、引き手部はトレー本体、つまり前鏡板、後板および側板を囲んでそれらと一体化された保持部と連続した一体部材であるから、引き手部自体も大きな機械的強度を備えた引き出しとすることができる。しかも、トレー本体を組み立てた後、取っ手部材の引き手を前鏡板にはめ込むと共に、これに連続する保持部を前鏡板、後板および側板を囲ませて一体化するだけで、取っ手部材をトレー本体に取り付けることができるから、別体の取っ手を改めてトレー本体に組み付ける作業を必要とせず、少ない手間で製造を行うことができる。
【００１１】
本発明引き出しにおいては、取っ手部材における保持部と引き手部とを同じ断面形状に形成する、例えば、一本の金属丸棒を曲げ加工することで製造して、製造コストを引き下げているが、トレー本体の構造などに応じて、異なる断面形状に形成したり、異なる外観形状に形成したりするなどしてもよい。
【発明を実施するための最良の形態】
【００１２】
次に、図面を参照して、本発明家具用引き出しの一実施例を説明する。図において、図１は本発明の家具用引き出しの一実施例を示す背面側から見た斜視図、図２は図１の２−２線に沿う拡大断面図、図３は図１に示す家具用引き出しの分解斜視図である。
【００１３】
図１および図３に示すように、この家具用引き出しは、トレー本体１１および取っ手部材２１を備えている。
【００１４】
図示したトレー本体１１では、別体前鏡板１２と、一枚の板材を切断して切起こした左右の側板１３，１４、後板１５および底板１６を備えている。即ち、両側板１３，１４と後板１５および底板１６は、例えば、一枚の金属板をプレス成形して、側板１３，１４、後板１５および底板１６を形成したあと、側板１３，１４、後板１５を底板１６に対して直角に折り曲げることでつくられている。一方、別体前鏡板１２が前記両側板１３，１４と底板１６による前部開口にスポット溶接などにより接合されている。図示した例では、側板１３，１４、後板１５および底板１６は同じ高さであるが、前鏡板１２はこれらよりも高いが、本発明は各板の高さの関係に拘わらず適用可能である。
【００１５】
前鏡板１２はフラットな前面部１２ａを備えている。前面部１２ａの上縁の中央は切り欠かれ、開口１２ｂを形成している。開口１２ｂの両側には係合部１２ｃが設けられている。係合部１２ｃは、図２に示すように、前面部１２ａの上縁を内面側に向かってチャネル状の断面に折り曲げることによって形成されている。側板１３，１４は外側面部１３ａ，１４ａを有し、当該側面部１３ａ，１４ａには案内部１３ｂ，１４ｂが形成されている。案内部１３ｂ，１４ｂは、外側面部１３ａ，１４ａの上部を断面略Ｌ字状に曲げ加工することによって形成されている。
【００１６】
前記案内部１３ｂ，１４ｂの上縁には、そこから外側に向けて曲げ溝状に延びた係合部１３ｃ，１４ｃが形成されている。係合部１３ｃ，１４ｃは側板１３の上縁をチャネル状の断面に折り曲げることによって形成されており、平面から見た幅は案内部１３ｂ，１４ｂの深さにほぼ等しい。後板１５は背面部１５ａと係合部１５ｃとを備えている。背面部１５ａは両側縁が側板１３，１４の断面形状に従がう輪郭に形成されている。係合部１５ｃは背面部１５ａの上縁をチャネル断面に折り曲げることによって形成されている。底板１６は平板状に形成されている。側板１３，１４の係合部１３ｃ，１４ｃと後板１５の係合部１５ｃのチャネル状の断面形状は一致している。
【００１７】
取っ手部材２１は、例えばばね鋼からなる丸棒などの弾性材によって構成されたロッド状部材を平面から見て略門型をなすように曲げ加工し、平面から見て横向きの引き手部２１ａとその両側に角度９０°曲がって縦向きに連続した保持部２１ｂを具備するように形成されている。ここで、引き手部２１ａは直線状に形成されているが、その略中央には平面から見て浅い略半月状の引き手２１ｃを備えている。また、左右の保持部２１ｂは、平面から見てこの引き手部２１ａの両側端から真っ直ぐ後方に向けに延びたように見えるが、前鏡板１２の係合部１２ｃと側板１３，１４の係合部１３ｃ，１４ｃとの高さの差に見合う長さの立ち下がり部２１ｄを備え、該部２１ｄの下端から後方へ向け水平に曲がり側板１３，１４の係合部１３ｃ，１４ｃの長さに対応する距離（長さ）を有する左右の水平部２１ｅと、該水平部２１ｅの末端から水平姿勢で内側に向け直角に曲がった、後板１５の長さよりも短い左右の押え部２１ｆを備えて形成されている。
【００１８】
本発明引き出しは、トレー本体１１に対し取っ手部材２１における引き手部２１ａを、引き手２１ｃを前鏡板１２の開口１２ｂに対応させた状態で係合部１２ｃに、水平部２１ｅを側板１３，１４の係合部１３ｃ，１４ｃに、押え部２１ｆを後板１５の係合部１５ｃにそれぞれに嵌めて固着乃至固定することによって組み立てられる。このようにして取っ手部材２１の各部をトレー本体１１の対応した各部位（係合部）に嵌め込んで固定すると、取っ手部材２１の各部位がトレー本体１１を形成している前鏡板１２、側板１３，１４、後板１５に結合されて、これら各板１２〜１５の結合度合を補完増強するから、トレー本体１１全体の強度を高めることができる。
【００１９】
家具本体への組み込みは、従来の引き出しと同様に、側板１３，１４にある案内部１３ｂ，１４ｂ（又はそこに設けた溝状ガイドなど）を家具本体の側板内面に設けられているレール部材などに支持案内させながら家具本体の前面の引き出し用開口に挿入することによって家具本体に装着される。
家具本体からの本発明引き出しの出し入れは、従来の引き出しと同様に、引き手部２１ａの引き手２１ｃを手でつかみ、手を前後に動かすことで行う。このとき、前鏡板１２、側板１３，１４、後板１５は取っ手部材２１によって抱持乃至囲撓された形で補強され、底板１６と一緒に強固な一つの箱を形成しているため、歪んだり、変形することなく、引き出し全体を机などの家具本体から出し入れすることができる。
【００２０】
重量物を本発明引き出しに収納しても、取っ手部材２１の全体がトレー本体１１を構成する前鏡板１２，側板１３，１４、後板１５および底板１６を囲む形でこれらと一体化され、かつ、これらの部材と底板１６が一体であるから、引き出しを変形させることなく、家具本体から常にスムーズに出し入れすることができる。
【００２１】
本発明による家具用引き出しは、上述したように、取っ手部材２１の一部を構成する引き手部２１ａに形成した引き手２１ｃを前鏡板１２の開口から出して、残余の左右の保持部２１ｂを前鏡板１２、側板１３，１４および後板１５の周囲に嵌め込むなどして一体化するだけで、取っ手付きの引き出しに組み立てることができるので、組み立てを短時間で行うことができる。
【００２２】
また、取っ手部材２１に上述した機能、作用があることにより、前鏡板１２、側板１３，１４および後板１５の接合構造が簡単になるため、組み立て手間が簡単なことと相俟って、引き出しを低コストで製造することができる。そして、前鏡板１２の意匠も、従来型取っ手を装着しないので、自由に多様化することができる。
【００２３】
なお、以上に説明した実施例において、取っ手部材２１の保持部２１ｂは、前鏡板１２、側板１３，１４および後板１５の上縁に装着する形態であったが、トレー本体１１の形態に応じて、上記例の場合より下方に装着するようにしても、トレー本体１１と取っ手自体の機械的強度を確保することができる。また、前鏡板１２は開口１２ｂを形成した形態とし、取っ手部材２１の引き手２１ｃの挿入を簡単に行えるようにしているが、本発明は、開口２１ｂを設けない前鏡板１２に適用できること勿論である。さらに、取っ手部材２１の左右の保持部２１ｂの末端部（後端）に、押え部２１ｆに代え、後板１５の横幅に見合う長さを有する横バー状押え部材（図示せず）の両端部を保持するための孔や切欠などを設け、取っ手部材２１をトレー部材１１に装着した後、保持部２１ｂの末端の孔や切欠に前記横バー状押え部材を係合させて保持する形態としてもよい。
【００２４】
また、上記実施例において、トレー本体１１の外側面を形成する各板１２〜１５に形成した断面チャネル状の各係合部１２ｃ〜１５ｃに、ロッド状部材で形成した取っ手部材２１を嵌合保持させることにより、取っ手部材２１とトレー本体部材１１の一体化を図ったものであるが、トレー本体１１、取っ手部材２１がスチール製の場合には、各係合部２１ｃ〜１５ｃを設けないで、前記取っ手部材２１の各部位をトレー本体１１の各板１２〜１５の対応部位にスポット溶接などにより、一体化することもできる。
【００２５】
さらに、上記実施例の各係合部１２ｃ〜１５ｃは、各板１２〜１５の上端縁に形成したが、各係合部１２ｃ〜１５ｃは、それより下方の位置に、断面溝状の連続体で、或いは、適宜ピッチで並ぶ挟持片の形態などで形成することは任意である。同様の趣旨で、スポット溶接などによる一体化位置も、各板１２〜１５の上端近傍に限られるものではない。
【００２６】
以上に説明した本発明引き出しにおいて、トレー本体１１の材質はスチール製に限られるものではなく、本発明は他の材質の金属製、或いは、プラスチック製や、木製のトレー本体に対しても適用可能である。
【産業上の利用可能性】
【００２７】
本発明は、以上の通りであって、前鏡板、後板、側板および底板からなるトレー本体と取っ手部材とを備えた家具用引き出しにおいて、取っ手部材を、ロッド状部材を曲げて形成し、前記前鏡板、後板および側板を囲んでトレー本体と一体化される保持部と、該保持部と連続し前記前鏡板から突出した引き手部を備えて形成してあるから、取っ手自体が高い機械的強度を有する一方、簡単な構造で十分な強度を有するトレー本体を低コストで製造することができて、産業上きわめて有用である。
【図面の簡単な説明】
【００２８】
【図１】本発明の家具用引き出しの一実施例を示す背面側から見た斜視図。
【図２】図１の２−２線に沿う拡大断面図。
【図３】図１に示す家具用引き出しの分解斜視図
【符号の説明】
【００２９】
１１            トレー本体
１２            前鏡板
１２ａ          前面部
１２ｂ          開口
１２ｃ          係合部
１３，１４      側板
１３ａ，１４ａ  側面部
１３ｂ，１４ｂ  案内部
１３ｃ，１４ｃ  係合部
１５            後板
１５ａ          背面部
１６            底板
２１            取っ手部材
２１ａ          引き手部
２１ｂ          保持部
２１ｃ          引き手
２１ｄ          立ち下がり部
２１ｅ          水平部
２１ｆ          押え部
【図１】
2006141571.tif 000003
【図２】
2006141571.tif 000004
【図３】
2006141571.tif 000005